(57)【要約】【課題】画像読み取り部の配置を変更することで原稿等を裏返すことなく読み取りが行えるようにした画像読み取り装置の提供を目的とする。【解決手段】原稿５を設置する第一ユニット１と、原稿５へ光を照射する光源部６と原稿５からの反射光を電気信号に変換する受光部７とを備えた画像読み取り部８を第一ユニット１に対向して配置した第二ユニット２からなる画像読み取り装置とし、原稿５の読み取り面を第一ユニット１側に向けて裏返す必要がなく、そのまま第一ユニット１上に原稿５の読み取り面が見えるように設置することで、この第一ユニット１に対向して配置した第二ユニット２の画像読み取り部８により読み取りを行うことができる。これにより、読み取り面の目視確認が可能になり、手順が簡便で、傾きや折れ曲がりといった不良の少ない画像読み取りを行うことが可能となる。【選択図】図１
2005184191.tif 000002
【特許請求の範囲】
【請求項１】
原稿を設置する第一ユニットと、前記原稿へ光を照射する光源部と前記原稿からの反射光を電気信号に変換する受光部とを備えた画像読み取り部を前記第一ユニットに対向して配置した第二ユニットからなることを特徴とする画像読み取り装置。
【請求項２】
前記画像読み取り部を機械的に走査するための駆動機構を有することを特徴とする請求項１に記載の画像読み取り装置。
【請求項３】
前記画像読み取り部が前記原稿の読み取り領域全体を覆うように二次元状に配置されたことを特徴とする請求項１に記載の画像読み取り装置。
【請求項４】
前記第二ユニットに読み取り画像を確認するための画像確認部を有することを特徴とする請求項３に記載の画像読み取り装置。
【請求項５】
前記画像確認部が光透過性を有することを特徴とする請求項４に記載の画像読み取り装置。
【請求項６】
前記画像確認部に、前記画像読み取り部を配置したことを特徴とする請求項４または５に記載の画像読み取り装置。
【請求項７】
前記画像確認部が光透過、遮光を任意に切換えることが可能な光透過率制御部を有することを特徴とする請求項４から６いずれかに記載の画像読み取り装置。
【請求項８】
前記光透過率制御部が、読み取り画像確認時に光透過性を有し、読み取り時に遮光されることを特徴とする請求項７に記載の画像読み取り装置。
【請求項９】
前記光透過率制御部の少なくとも一部分が液晶材料によって形成されたことを特徴とする請求項７または８に記載の画像読み取り装置。
【請求項１０】
前記画像確認部が情報表示部を有することを特徴とする請求項４から９のいずれかに記載の画像読み取り装置。
【請求項１１】
前記第一ユニットが情報表示部を有することを特徴とする請求項１から１０のいずれかにに記載の画像読み取り装置。
【請求項１２】
前記第一ユニットが情報入力部を有することを特徴とする請求項１から１０のいずれかに記載の画像読み取り装置。
【請求項１３】
前記画像確認部に、原稿情報の加工が可能な情報入力部を有することを特徴とする請求項４から１２いずれかに記載の画像読み取り装置。
【請求項１４】
前記受光部が基板上に少なくとも２つの電極と、これらの電極間に少なくとも一種の電子供与性有機材料と、フラーレン類及び／またはカーボンナノチューブ類を含む電子受容性材料からなる光電変換領域を有する、有機光電変換素子からなることを特徴とする請求項１から１３のいずれかに記載の画像読み取り装置。
【発明の詳細な説明】
【技術分野】
【０００１】
本発明は、文字や図形等の各種情報を光を用いて電気情報へと変換する画像読み取り装置に関するものである。
【背景技術】
【０００２】
文字や図形等の各種情報を光を用いて電気情報へと変換する画像読み取り装置は、ファクシミリ、スキャナや電子黒板等の製品で幅広く使用されている。この画像読み取り装置は、原稿面等へ光を照射する光源部と、原稿からの反射光を電気信号へと変換するフォトダイオード等からなる受光部によって構成される画像読み取り部とを有している。従来、この受光部には、主に無機のフォトダイオード、フォトコンダクター、フォトトランジスタやそれらの応用部品等が用いられている。
【０００３】
ここで、従来の一般的な画像読み取り措置について、図面を用いて説明する。
【０００４】
図１３は従来の画像読み取り装置の構成図である。図１３において、６は光源部、５は原稿、２４はロッドレンズアレイ、７は受光部である。原稿５は斜め側方に配置された光源部６によって光照射されている。原稿５で反射した光は、ロッドレンズアレイ２４によって正立等倍で導かれ、受光部７に入力され、電気信号に変換される。
【０００５】
このように一般的な画像読み取り部は光源部６を斜め側方に配置し、原稿５からの反射光をロッドレンズアレイ２４、あるいはミラーやセルフォックレンズ等を用いて受光部７へと導く方式を採っている。実際の画像読み取りは、このような画像読み取り部が一列に並んだラインセンサを走査して行う。なお、このような構成の画像読み取り装置としては、（特許文献１）に開示されている。
【特許文献１】特開平２−５８４６９号公報
【発明の開示】
【発明が解決しようとする課題】
【０００６】
上述したように、従来の画像読み取り装置は、画像読み取り部を走査するための駆動装置が必要であるため、ラインセンサ等の画像読み取り部を第一ユニットの光透過性ステージ下に配置しており、このステージの下方より画像読み取りを行っている。そのため、原稿等の読み取り面はステージ側に向けて、すなわち裏返して配置する必要があり、読み取りが完了するまではどのような読み取り結果になっているか分からず、傾きや折れ、曲がりといった読み取り不良を招いている。また、例えば本や雑誌等を複数項読み取る場合、裏返して読み取りを行った後、一度本をひっくり返して表側に向け、ページめくりを行った後、再度裏返して読み取りを行うという非常に煩雑な操作を繰り返す必要もある。
【０００７】
そこで、本発明においては、画像読み取り部の配置を変更することで原稿等を裏返すことなく読み取りが行えるようにした画像読み取り装置を提供することを目的とする。
【課題を解決するための手段】
【０００８】
本発明の画像読み取り装置は、原稿を設置する第一ユニットと、原稿へ光を照射する光源部と原稿からの反射光を電気信号に変換する受光部とを備えた画像読み取り部を第一ユニットに対向して配置した第二ユニットからなる。
【発明の効果】
【０００９】
本発明の画像読み取り装置によれば、原稿を裏返すことなく簡便に読み取りが行えるよ
うになる。
【発明を実施するための最良の形態】
【００１０】
本願の請求項１の発明は、原稿を設置する第一ユニットと、原稿へ光を照射する光源部と原稿からの反射光を電気信号に変換する受光部とを備えた画像読み取り部を第一ユニットに対向して配置した第二ユニットからなる画像読み取り装置としたものであり、原稿の読み取り面を第一ユニット側に向けて裏返す必要がなく、そのまま第一ユニット上に原稿の読み取り面が見えるように設置することで、この第一ユニットに対向して配置した第二ユニットの画像読み取り部により読み取りを行うことができる。これにより、読み取り面の目視確認が可能になり、手順が簡便で、傾きや折れ曲がりといった不良の少ない画像読み取りを行うことが可能となる。
【００１１】
本願の請求項２の発明は、上記請求項１の発明において、画像読み取り部を機械的に走査するための駆動機構を有することを特徴としたものであり、従来のラインセンサをそのまま使用して駆動機構により機械的に走査することで、傾きや折れ曲がりといった不良の少ない画像読み取りを行うことが可能となる。
【００１２】
本願の請求項３の発明は、上記請求項１の発明において、画像読み取り部が原稿の読み取り領域全体を覆うように二次元状に配置されたことを特徴としたものであり、画像読み取り部を走査しなくても原稿の読み取り領域全体を覆う二次元状の画像読み取り部により画像読み取りを行うことができる。これにより、画像読み取り部を走査するための駆動装置が不必要となることから、薄型で低コスト、さらに低騒音の画像読み取り装置を提供することが可能となる。なお、ここでの原稿の読み取り領域とは、本発明の画像読み取り装置で読み取り可能な最大の範囲のことである。
【００１３】
本願の請求項４の発明は、上記請求項３の発明において、第二ユニットに読み取り画像を確認するための画像確認部を有することを特徴としたものであり、予め画像確認部により読み取り結果を確認することで読み取り不良を大幅に低減することが可能となる。例えば、原稿を読み取る場合、原稿の傾きや折れ、曲がりを読み取り前に確認し、必要であれば修正することができ、読み取り品質を向上させることができる。
【００１４】
本願の請求項５の発明は、上記請求項４の発明において、画像確認部が光透過性を有することを特徴としたものであり、複雑な機構を用いずに光透過性の画像確認部により読み取り原稿を直接目視することで、確実かつ低コストで読み取り結果の概要を確認することが可能となる。
【００１５】
本願の請求項６の発明は、上記請求項４または５の発明において、画像確認部に、画像読み取り部を配置したことを特徴としたものであり、配置された画像読み取り部を用いて原稿の情報を読み取ることにより、画像読み取り部を格納するためのスペースが必要無くなり、小型化が可能になる。
【００１６】
本願の請求項７の発明は、上記請求項４から６のいずれかの発明において、画像確認部が、光透過、遮光を任意に切換えることが可能な光透過率制御部を有することを特徴としたものであり、読み取り概要を確認するときは光透過率制御部を光透過性とし、実際に情報を読み取る際には光透過率制御部を遮光状態にすることで外光の影響を低減し、読み取り品質を向上することが可能となる。
【００１７】
本願の請求項８の発明は、上記請求項７の発明において、光透過率制御部が、読み取り画像確認時に光透過性を有し、読み取り時に遮光されることを特徴としたものであり、読み取り結果確認時は光透過性とし、実際に情報を読み取る際には画像確認部を遮光状態に
することで外光の影響を低減し、読み取り品質を向上することが可能となる。
【００１８】
本願の請求項９の発明は、光透過率制御部の少なくとも一部分が液晶材料によって形成されたことを特徴としたものであり、低電圧で液晶を駆動することにより光透過、遮光を繰り返すことが可能であることから、低消費電力で読み取り品質の高い情報読み取り装置を提供することが可能となる。
【００１９】
本願の請求項１０の発明は、上記請求項４から９のいずれかの発明において、画像確認部が情報表示部を有することを特徴としたものであり、画像確認部に情報の読み取り状況等を表示することが可能となる。
【００２０】
本願の請求項１１の発明は、上記請求項１から１０のいずれかの発明において、第一ユニットが情報表示部を有することを特徴としたものであり、第一ユニットの情報表示部に対して原稿設置前の各種読み取り設定等の表示や、原稿設置時の設置部以外への情報表示、さらには情報読み取り後の読み取り結果表示等を行うことが可能となる。
【００２１】
本願の請求項１２の発明は、上記請求項１から１０のいずれかの発明において、第一ユニットが情報入力部を有することを特徴としたものであり、第一ユニットの情報入力部により各種読み取り設定等を行うことが可能となり、別途情報入力、表示部を配置する必要がなくなるため、省スペースな画像読み取り装置を提供することが可能となる。
【００２２】
本願の請求項１３の発明は、上記請求項４から１２のいずれかの発明において、画像確認部に、原稿情報の加工が可能な情報入力部を有することを特徴としたものであり、読み取り原稿上に配置された画像確認部に有する情報入力部に消去、拡大、縮小、追記等の情報を入力することによって、読み取り原稿に直接書き込む感覚で加工処理を行うことができる。
【００２３】
本願の請求項１４の発明は、上記請求項１から１３のいずれかの発明において、受光部が基板上に少なくとも２つの電極と、これらの電極間に少なくとも一種の電子供与性有機材料と、フラーレン類及び／またはカーボンナノチューブ類を含む電子受容性材料からなる光電変換領域を有する、有機光電変換素子からなることを特徴としたものであり、構成が簡単であり低コストな画像読み取り装置を提供することが可能となる。
【００２４】
以下、本発明の実施の形態について図面を参照して説明する。
【００２５】
（実施の形態１）
図１は本発明の一実施の形態における画像読み取り装置の要部断面図である。
【００２６】
図１に示すように、本実施の形態における画像読み取り装置は、原稿５を設置する第一ユニット１と、画像読み取り部８を搭載した第二ユニット２からなる。第一ユニット１と第二ユニット２とはヒンジ３により連結されている。画像読み取り部８は、ライン状に、原稿５へ光を照射する光源部６と、原稿５からの反射光を電気信号に変換する受光部７とを備えたラインセンサであり、駆動装置４により機械的に走査される。また、図示していないが、本実施の形態における画像読み取り装置は、受光部７により受光した光を画像や文字情報に変換するための情報処理部を備える。本実施の形態の画像読み取り装置が従来のものと異なっているのは、画像読み取り部８が第一ユニット１に対向するように配置されている点である。
【００２７】
本実施の形態の画像読み取り装置では、文字情報や図形情報が記された原稿５を第一ユニット１上に情報が記された面（以下、「原稿面」と称す。）を上向きにして配置後、画
像読み取り部８を有した第二ユニット２を原稿５上に被せ、続いてライン状の画像読み取り部８を駆動装置４によって走査することで画像の読み取りを行う。
【００２８】
このような構成、機構とすることで、原稿面を第一ユニット１に対して上向きに配置して画像読み取りすることができる。これにより、例えば本等の複数項を続けて読み取る場合にも本を裏返す必要がなく、ページ捲りが簡単になる等、読み取りのプロセスを簡便にすることが可能になる。
【００２９】
（実施の形態２）
図２は本発明の一実施の形態における画像読み取り装置の要部断面図である。
【００３０】
図２に示すように、本実施の形態における画像読み取り装置の構成は、実施の形態１とほぼ同様であるが、光源部６及び光透過性を有する受光部７からなる画像読み取り部８が二次元状に配置されたエリアセンサであり、原稿５の読み取り領域全体を覆っている点で相違する。また、第１実施の形態における駆動装置４は備えていない。
【００３１】
従来の受光部は光透過性を付与することが困難であったため、画像読み取り装置には一次元のいわゆるラインセンサが用いられてきたが、これでは実際に情報を読み取るときにはこのラインセンサを走査する必要があり、そのための駆動部が必要になることから、薄型化が困難であったり、読み取り音が大きかったりという課題を有していた。しかしながら、本実施の形態における画像読み取り装置では、光透過性を有する受光部７を用い、光源部６と受光部７とを重ね合わせた二次元の画像読み取り部８を配置しており、これにより大幅な薄型化、低コスト化、静音化が可能となる。
【００３２】
このような画像読み取り部８を用いることにより、第二ユニット２の大幅な薄型化、軽量化が可能になることから、第二ユニット２の開閉が容易になるとともに、ヒンジ部３にかかる負荷も大幅に低減することが可能となる。
【００３３】
（実施の形態３）
図３及び図４はいずれも本発明の一実施の形態における画像読み取り装置の要部断面図である。
【００３４】
図３及び図４に示すように、本実施の形態における画像読み取り装置の構成は、それぞれ実施の形態１または実施の形態２とほぼ同様であるが、第二ユニット２に画像確認用の画像確認窓９及び画像確認部１０を有している点で相違する。
【００３５】
画像確認窓９は光透過性であるため、第一ユニット１と第二ユニット２によって原稿５を挟み込んだ後であっても、矢印のように画像確認部１０越しに読み取り原稿５の状態を確認することが可能であり、原稿５の傾き、折れや曲がり等の不具合を修正することができる。また、これにより、読み取り不良のない画像読み取りを行うことができる。原稿面を直接目視できるようにするためには、後述する各種光透過性の材料を用いることが好ましいが、例えば液晶ディスプレイ等の表示部を画像確認部１０とし、そこに読み取り結果の概要を表示するようにしても良い。
【００３６】
なお、画像の読み取りは、原稿５の確認を行った後そのままの状態で行われるのが好ましい。その際、画像確認部１０に配置された画像読み取り部８が図３に示すようなラインセンサの場合には、原稿５を挟み込んで画像確認を行った後、そのまま画像読み取り部８が駆動装置４によって走査され、原稿情報の読み取りを行う。また、図４に示すように、画像読み取り部８が二次元のエリアセンサである場合には、このような走査を行うことなく原稿情報を読み取ることが可能となる。
【００３７】
（実施の形態４）
図５及び図６はいずれも本発明の一実施の形態における画像読み取り装置の要部断面図である。
【００３８】
図５及び図６に示すように、本実施の形態における画像読み取り装置の構成は、実施の形態３とほぼ同様であるが、画像読み取り部８の上部に光透過率制御部１１を有している点で相違する。
【００３９】
この光透過率制御部１１は、情報確認時には光透過し、情報読み取り時には遮光することで外光が画像読み取り部８に進入することを防ぐことができる。これにより原稿５からの光信号を減衰させることなく画像読み取りを行うことが可能となり、高品位の画像読み取りを行うことができる。なお、この光透過率制御部１１は、光の透過、遮光を任意に行うことができるものであればどのようなものであっても良いが、各種液晶材料が好適に用いられる。
【００４０】
（実施の形態５）
図７は本発明の一実施の形態における画像読み取り装置の要部断面図である。
【００４１】
図７に示すように、本実施の形態における画像読み取り装置の構成は、実施の形態４とほぼ同様であるが、各種情報表示が可能な情報表示部１２を有している点で相違する。
【００４２】
この情報表示部１２は少なくとも画像情報の確認に支障がない程度の光透過性を有している。情報表示部１２としては、例えば液晶パネル等が用いられる。この情報表示部１２により読み取りの解像度や読み取りエリア等の各種情報表示を行うことが可能となる。なお、情報表示部１２は、画像読み取りの品質を落さず、また読み取り中であっても表示できるようにするため、画像確認部１０内の、原稿５と画像読み取り部８の間以外に配置することが好ましい。
【００４３】
（実施の形態６）
図８は本発明の一実施の形態における画像読み取り装置の要部断面図である。
【００４４】
図８に示すように、本実施の形態における画像読み取り装置の構成は、実施の形態３とほぼ同様であるが、第一ユニット１が情報表示部１２及び情報入力部１３を有している点で相違する。これらにより、情報表示機能や情報入力機能を付与している。
【００４５】
通常の画像読み取り装置では、第一ユニット１の下方から例えばガラス越しに情報を読み取っているため、第一ユニット１に情報表示機能を付与することは困難である。そのため読み取りに関する各種設定は別途設けた操作パネルで行う必要があり、この操作パネルの存在が読み取り装置の大型化を招いていた。しかしながら、本実施の形態における画像読み取り装置では、第一ユニット１とは反対の方向から情報読み取りを行うため、第一ユニット１は光透過性を有する必要はない。そこで、第一ユニット１として情報表示機能を有する液晶ディスプレイや有機エレクトロルミネッセンスディスプレイ等の各種情報表示パネルを用いることができ、各種設定の確認等を行うことができる。また、原稿が小さい場合には、第一ユニット１に表示した情報と原稿面の情報とを同時に読み取ることも可能である。さらに、この第一ユニット１としてタッチパネル等の情報入力機能を有したパネルを用いることによって、読み取りに関する各種設定を全てこのパネル上で行うことができ、これによって操作パネルのない小型化された画像読み取り装置を提供することが可能となる。
【００４６】
なお、本実施の形態においては、情報表示部１２及び情報入力部１３を両方配置した場合について説明を行ったが、必要に応じてどちらかのみにしても何ら問題ない。
【００４７】
（実施の形態７）
図９（ａ）から（ｄ）は本発明の一実施の形態における画像読み取り装置を用いた画像読み取りの流れ図である。本実施の形態における画像読み取り装置の構成は実施の形態６とほぼ同様であるが、情報入力部１３を第二ユニット２の画像確認部１０に備える点で相違する。
【００４８】
まず、文字情報や図形情報等が記された原稿５を第一ユニット１上に原稿面を上向きに置き、第二ユニット２を被せる（図９（ａ））。このとき、原稿５の情報は画像確認部１０を通して上部より確認することが可能である（図９（ｂ））。次に、ライトペン等の情報入力手段１４を用いて情報入力部１３に拡大、縮小、消去、追記等の入力を行う。なお、本実施の形態においては丸で囲むと消去、その他は追記とした（図９（ｃ））。最後に、この情報入力手段１４によって指示、または書き込まれた情報に応じた処理を施した状態で、画像読み取り部８によって原稿５の情報が読み取られる。本実施の形態における画像読み取りの結果を図９（ｄ）に示す。
【００４９】
このように情報入力手段１４によって丸く囲った部分の文字「１」を消去し、新たに追記された文字「４、５、６」を元の原稿情報と一緒に読み取ることができる。これにより、例えば原紙である原稿５を汚すことなく、修正、加工、部分消去等を行うことが可能となる。なお、この情報入力部１３及び情報入力手段１４は、位置を正確に検知できるものであればどのようなものであっても良いが、小型、薄型、低コスト化のためには二次元のエリアセンサからなる画像読み取り部８が情報入力部１３の機能を併せ持ち、情報入力手段１４としてのライトペンによって情報入力することが好ましい。
【００５０】
続いて、上記各実施の形態における画像読み取り装置の各部の詳細について説明する。
【００５１】
受光部７としては、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）はもちろんのこと、低コストで高い受光感度を有する有機光電変換素子を用いることができる。
【００５２】
ここで一般的な有機光電変換素子について説明を行う。図１０は一般的な有機光電変換素子の要部断面図である。図１０において、１５は基板、１６は陽極、１７は光電変換領域、２２は電子供与性材料からなる電子供与性層、２３は電子受容性材料からなる電子受容性層、２０は陰極である。この有機光電変換素子は、ガラス等の光透過性の基板１５上にスパッタリング法や抵抗加熱蒸着法等により形成されたＩＴＯ等の透明な導電性膜からなる陽極１６と、陽極１６上に電子供与性層２２と電子受容性層２３をそれぞれ抵抗加熱蒸着法等によって成膜した光電変換領域１７、さらにその上部に抵抗加熱蒸着法等により形成された金属からなる陰極２０とを備えている。
【００５３】
上記構成を有する有機光電変換素子に、光照射を行うと光電変換領域１７にて光吸収が起こり、励起子が形成される。続いてキャリアが分離され、電子は電子受容性層２３を通して陰極２０へ、正孔は電子供与性層２２を通して陽極１６へと移動する。これにより、両電極（陽極１６、陰極２０）間には起電力が発生し、外部回路をつなげることで電気信号を取り出すことが可能となる。この有機光電変換素子は、陽極１６、陰極２０をいずれもＩＴＯやＡＴＯ（ＳｂをドープしたＳｎＯ2）、ＡＺＯ（ＡｌをドープしたＺｎＯ）さらにはＡｌ、Ａｇ、Ａｕ等の金属薄膜といった光透過性の材料で構成することにより光透過性を付与することができ、これにより有機エレクトロルミネッセンス素子等の光源と重
ね合わせても情報の読み取りを行うことが可能となる。
【００５４】
なお構成材料である電子供与性材料としては、フェニレンビニレン、フルオレン、カルバゾール、インドール、ピレン、ピロール、ピコリン、チオフェン、アセチレン、ジアセチレン等の重合体や、その誘導体が用いられる。また、高分子に限定されるものではなく、例えばポルフィン、テトラフェニルポルフィン銅、フタロシアニン、銅フタロシアニン、チタニウムフタロシアニンオキサイド等のポリフィリン化合物、１，１−ビス｛４−（ジ−Ｐ−トリルアミノ）フェニル｝シクロヘキサン、４，４’，４’’−トリメチルトリフェニルアミン、Ｎ，Ｎ，Ｎ’，Ｎ’−テトラキス（Ｐ−トリル）−Ｐ−フェニレンジアミン、１−（Ｎ，Ｎ−ジ−Ｐ−トリルアミノ）ナフタレン、４，４’−ビス（ジメチルアミノ）−２−２’−ジメチルトリフェニルメタン、Ｎ，Ｎ，Ｎ’，Ｎ’−テトラフェニル−４，４’−ジアミノビフェニル、Ｎ、Ｎ’−ジフェニル−Ｎ、Ｎ’−ジ−ｍ−トリル−４、４’−ジアミノビフェニル、Ｎ−フェニルカルバゾ−ル等の芳香族第三級アミン、４−ジ−Ｐ−トリルアミノスチルベン、４−（ジ−Ｐ−トリルアミノ）−４’−〔４−（ジ−Ｐ−トリルアミノ）スチリル〕スチルベン等のスチルベン化合物、トリアゾール誘導体、オキサジザゾール誘導体、イミダゾール誘導体、ポリアリールアルカン誘導体、ピラゾリン誘導体、ピラゾロン誘導体、フェニレンジアミン誘導体、アニールアミン誘導体、アミノ置換カルコン誘導体、オキサゾール誘導体、スチリルアントラセン誘導体、フルオレノン誘導体、ヒドラゾン誘導体、シラザン誘導体、ポリシラン系アニリン系共重合体、高分子オリゴマー、スチリルアミン化合物、芳香族ジメチリディン系化合物や、ポリ３−メチルチオフェン等も用いることができる。
【００５５】
また電子受容性材料としては１，３−ビス（４−ｔｅｒｔ−ブチルフェニル−１，３，４−オキサジアゾリル）フェニレン（ＯＸＤ−７）等のオキサジアゾール誘導体、アントラキノジメタン誘導体や、ジフェニルキノン誘導体等が用いられる。
【００５６】
図１１は本発明の一実施の形態における受光部７の要部断面図である。
【００５７】
受光部７を構成する基板１５、陽極１６、光電変換領域１７、電子供与性有機材料１８、電子受容性材料１９、および陰極２０は、図１０に示す有機光電変換素子と同様であるが、本実施の形態における受光部７は、電極（陽極１６、陰極２０）間に少なくとも一種の電子供与性有機材料１８と、フラーレン類及び／またはカーボンナノチューブ類を含む電子受容性材料１９からなる光電変換領域１７を有する点で相違する。
【００５８】
これらの材料を用いた有機光電変換素子では、従来の電子供与性有機材料１８と電子受容性材料１９とを積層した積層型に加え、各材料を混合したものを塗布するだけでも容易に受光素子を形成できるという特徴を有する。そのため構成が簡単で、低コストな画像読み取り装置を提供することが可能である。
【００５９】
次にこの受光部７に光源部６を重ね合わせた画像読み取り部８について説明を行う。
【００６０】
図１２は本発明の一実施の形態における画像読み取り部８の要部断面図である。図１２に示す画像読み取り部８は、基板１５、受光部７、絶縁層２１および光源部６を備える。受光部７は光透過性を有しているため、光源部６によって照射された光は受光部７を透過し、原稿５へと到達する。到達した光は原稿５上の文字情報や図形情報等によって異なる反射率で反射し、再び受光部７へと進入する。この反射光を受光部７の有機光電変換素子によって電気信号に変換することによって、原稿面の情報を得ることができる。受光部７の有機光電変換素子へ入射する光は、光源部６からの直接光と原稿５からの反射光の和であり、予め直接光によってオフセットされているが、受光部７として用いられる有機光電変換素子は感度が非常に高いため、十分に情報を読み出すことが可能である。よって、こ
のような光透過性の有機光電変換素子を受光部７として用いることは好ましい形態である。
【００６１】
なお、光源部６としては発光ダイオード、レーザ、冷陰極管やこれらと導光板との併用等、どのようなものを用いても良いが、小型薄型の情報読み取り装置とするためには面状発光する光源とするのが好ましく、例えば有機エレクトロルミネッセンス素子等が好適に用いられる。
【００６２】
また、第一ユニット１については、従来光透過性を有している必要があったが、本発明の画像読み取り装置では原稿５を確実に設置できるだけの硬度、大きさがあればどのようなものであっても良く、例えばガラス、各種金属材料、高分子材料等を用いることができる。さらに、第一ユニット１に情報表示機能を付与する場合には、液晶ディスプレイ、有機エレクトロルミネッセンスディスプレイや、蛍光表示管パネル等を用いることができる。
【００６３】
画像確認部１０は読み取り装置外部から読み取り面等を確認できるものであればどのようなものであってもよいが、直接目視できるようにするためには光透過性を有していることが好ましい。そのため例えばガラス、ポリエチレンテレフタレート、ポリカーボネート、ポリメチルメタクリレート、ポリエーテルスルフォン、ポリフッ化ビニル、ポリプロピレン、ポリエチレン、ポリアクリレート、非晶質ポリオレフィンや、フッ素系樹脂等の可視光領域について透明度の高い材料を用いることができる。
【００６４】
なお、上記各実施の形態における画像読み取り部８は光源部６、受光部７のみの構成について説明を行ったが、高解像度で焦点深度の深い読み取りが必要な場合には、セルフォックレンズやシートレンズアレイ等の各種レンズ系を用いても何ら問題ない。
【産業上の利用可能性】
【００６５】
本発明に係る画像読み取り装置は、読み取りプロセスが簡便で、読み取り不良を抑制することが可能であり、さらに読み取り音を低減することや、情報表示等も可能なことなどから、原稿上の文字情報や図形情報等の各種情報を読み取る画像読み取り装置として有用である。
【図面の簡単な説明】
【００６６】
【図１】本発明の一実施の形態における画像読み取り装置の要部断面図
【図２】本発明の一実施の形態における画像読み取り装置の要部断面図
【図３】本発明の一実施の形態における画像読み取り装置の要部断面図
【図４】本発明の一実施の形態における画像読み取り装置の要部断面図
【図５】本発明の一実施の形態における画像読み取り装置の要部断面図
【図６】本発明の一実施の形態における画像読み取り装置の要部断面図
【図７】本発明の一実施の形態における画像読み取り装置の要部断面図
【図８】本発明の一実施の形態における画像読み取り装置の要部断面図
【図９】本発明の一実施の形態における画像読み取り装置を用いた画像読み取りの流れ図
【図１０】一般的な有機光電変換素子の要部断面図
【図１１】本発明の一実施の形態における受光部の要部断面図
【図１２】本発明の一実施の形態における画像読み取り部の要部断面図
【図１３】従来の画像読み取り装置の構成図
【符号の説明】
【００６７】
１    第一ユニット
２    第二ユニット
３    ヒンジ
４    駆動装置
５    原稿
６    光源部
７    受光部
８    画像読み取り部
９    画像確認窓
１０    画像確認部
１１    光透過率制御部
１２    情報表示部
１３    情報入力部
１４    情報入力手段
１５    基板
１６    陽極
１７    光電変換領域
１８    電子供与性有機材料
１９    電子受容性材料
２０    陰極
２１    絶縁層
２２    電子供与性層
２３    電子受容性層
２４    ロッドレンズアレイ
【図１】
2005184191.tif 000003
【図２】
2005184191.tif 000004
【図３】
2005184191.tif 000005
【図４】
2005184191.tif 000006
【図５】
2005184191.tif 000007
【図６】
2005184191.tif 000008
【図７】
2005184191.tif 000009
【図８】
2005184191.tif 000010
【図９】
2005184191.tif 000011
【図１０】
2005184191.tif 000012
【図１１】
2005184191.tif 000013
【図１２】
2005184191.tif 000014
【図１３】
2005184191.tif 000015